(57)【要約】【課題】本発明は、ネットを確実に固定状態で吊り張りすることのできるウインチを用いたネット等の吊張体の吊張方法を提供することを課題とする。【解決手段】ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチを少なくとも対向して位置し、該ウインチの後方に巻取リングを取り付け、該ウインチを駆動することによりそれぞれワイヤロープ等の紐状体を取り出し移動して直接又は間接的に各ワイヤロープ等の紐状体の先端を連結した後、該それぞれワイヤロープ等の紐状体を所望量取り込み移動することで、ワイヤロープ等の紐状体に取り付けられたネット等の吊張体を吊り張りすることである。【選択図】図１
2009067587.tif 000002
【特許請求の範囲】
【請求項１】
ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチを少なくとも対向して位置し、該ウインチの後方に巻取ドラムを取り付け／又はワイヤロープ等の紐状体を巻回すべく所望の幅の溝が形成された巻取ドラムと、巻取ドラムを正／逆回転駆動する駆動源に連結された駆動軸とから構成されウインチを少なくとも対向して位置し、該ウインチを駆動することによりそれぞれワイヤロープ等の紐状体を取り出し移動して直接又は間接的に各ワイヤロープ等の紐状体の先端を連結するとともにネット等の吊張体を取り付けた後、それぞれワイヤロープ等の紐状体を所望量取り込み移動することで、ワイヤロープ等の紐状体に取り付けられたネット等の吊張体を吊り張りすることを特徴とするウインチを用いたネット等の吊張体の吊張方法。
【請求項２】
ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチ、及びワイヤロープ等の紐状体を巻回すべく所望の幅の溝が形成された巻取ドラムと、巻取ドラムを正／逆回転駆動する駆動源に連結された駆動軸とから構成されウインチとを組み合わせて少なくとも対向する位置に配置し、各ウインチを駆動することによりそれぞれワイヤロープ等の紐状体を取り出し移動して直接又は間接的に各ワイヤロープ等の紐状体の先端を連結するとともにネット等の吊張体を取り付けた後、それぞれのワイヤロープ等の紐状体を所望量取り込み移動することで、ワイヤロープ等の紐状体に取り付けられたネット等の吊張体を吊り張りすることを特徴とするウインチを用いたネット等の吊張体の吊張方法。
【発明の詳細な説明】
【技術分野】
【０００１】本発明は、各種ウインチを用いてドラムに巻回されたワイヤロープ等の紐状体を移動し、ネット等の吊張体を吊り張りするウインチを用いたネット等の吊張体の吊張方法に関する。
【背景技術】
【０００２】例えば、屋内施設としての、学校の体育館又は大空間部を有する多目的の室内球技場（野球、サーカー等）では、間仕切り用、又は防球用としてネットが吊り張りされている。これらのネットは移動式と固定式とに分けられる。【０００３】ここでの固定状態とは、吊り張り時にネットを開閉移動しない状態で取り付けられている状態をいう。【０００４】移動式のネットは、一般的にガイドワイヤロープに移動自在に取り付けられたネットの一端側をウインチで移動するウインチワイヤロープに連結しウインチワイヤロープを移動することで、ネットをガイドワイヤロープに沿って開閉する方式が採用され、固定式のネットは、複数のワイヤロープを天井側より降下しその先端にネットを連結し、該ワイヤロープを上昇することで天井に沿って（円弧状に）ネットを吊り張りする方式や、複数の固定具にネットの上端側を連結することでネットを吊り張りする方式が採用されている。【０００５】また、近年建設されている大空間部の屋内で使用する防球用のネット又は間仕切り用ネットは、天井の一方の側壁より他方の側壁に沿って吊張されたワイヤロープに直接的リングを介して設けられ、該ワイヤロープの一方又は両方にテンションをかけることでネットの重量に対応しながら床面に対して水平状態を維持して吊り張りしている。
【発明が解決しようとする課題】
【０００６】しかしながら、上記固定式のネットも定期的なメンテナンスが必要であり、その都度ワイヤロープの一方又は両方のテンションを解除して、取り外す必要があり、作業工程が煩雑であるという欠点があった。
【０００７】また、テンションのみでは、固定状態のネットの重量によるワイヤロープの撓みを解消が十分でなく、中央部分が下方に垂れ下がることが頻繁に発生することとなり、テンションの取り替え等が必要である。
【０００８】また、その作業も天井側の高所で行わなければならず、高所用作業車を搬入したり、天井側を移動しながら作業する必要があり、作業工程が煩雑で且つ危険であるという欠点があった。
【０００９】また、大空間部の天井側にテンションを取り付ける作業は、煩雑であり、ネットの重量毎にテンションを変更する作業はさらに煩雑である。
【００１０】そこで、本発明は上記課題を解決することを目的とし、ネットを確実に固定状態で吊り張りすることのでき、またその取り外し及びメンテナンスが容易なウインチを用いたネット等の吊張体の吊張方法を提供することを課題とする。
【課題を解決するための手段】
【００１１】本発明は上記課題を解決するためのウインチを用いたネット等の吊張体の吊張方法の第１の手段は、請求項１に記載のように、ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチを少なくとも対向して位置し、該ウインチの後方に巻取ドラムを取り付け／又はワイヤロープ等の紐状体を巻回すべく所望の幅の溝が形成された巻取ドラムと、巻取ドラムを正／逆回転駆動する駆動源に連結された駆動軸とから構成されウインチを少なくとも対向して位置し、該ウインチを駆動することによりそれぞれワイヤロープ等の紐状体を取り出し移動して直接又は間接的に各ワイヤロープ等の紐状体の先端を連結するとともにネット等の吊張体を取り付けた後、それぞれワイヤロープ等の紐状体を所望量取り込み移動することで、ワイヤロープ等の紐状体に取り付けられたネット等の吊張体を吊り張りすることを特徴とする。
【００１２】また、ウインチを用いたネット等の吊張体の吊張方法の第２の手段は、請求項２に記載のように、ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチ、及びワイヤロープ等の紐状体を巻回すべく所望の幅の溝が形成された巻取ドラムと、巻取ドラムを正／逆回転駆動する駆動源に連結された駆動軸とから構成されウインチとを組み合わせて少なくとも対向する位置に配置し、各ウインチを駆動することによりそれぞれワイヤロープ等の紐状体を取り出し移動して直接又は間接的に各ワイヤロープ等の紐状体の先端を連結するとともにネット等の吊張体を取り付けた後、それぞれのワイヤロープ等の紐状体を所望量取り込み移動することで、ワイヤロープ等の紐状体に取り付けられたネット等の吊張体を吊り張りすることを特徴とする。
【発明の作用・効果】
【００１３】本発明のウインチを用いたネット等の吊張体の吊張方法は、エンドレ状のウインチと、巻取式ウインチとを使用する場合及びこれらを組み合わせて使用する場合がふくまれ、それぞれの作用について説明する。
【００１４】先ず、エンドレ状のウインチ（ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチ）を屋内の少なくとも対向する２点の位置に設置し、両ウインチの巻回ドラムを回転駆動して巻回リングよりワイヤロープ等の紐状体を床面側に届く位置まで取り出し移動する。
【００１５】その後、直接又は間接的に先端を連結した各ワイヤロープ等の紐状体にネット等の吊張体を取り付け、巻回ドラムを逆方向に回転駆動して巻回リングにワイヤロープ等の紐状体を巻き取りながら、所望の位置（床面に対して水平方向）にネット等の吊張体を吊り張りする。
【００１６】この際、ネット等の吊張体の重量は、両端側のウインチによりテンションが調整された状態であるために、常にテンションがかかった状態でネット等の吊張体を適切に吊り張りすることができる。
【００１７】また、ウインチの巻回ドラムの回転駆動のみでテンションを調整することができるために、天井側の高所に位置しなくとも容易にその調整作業ができるので、例えば、メンテナンスにおいても従来の方式に比し格段に簡易に行えることとなる。
【００１８】また、他の例として、エンドレ状のウインチの代わりに、巻取式ウインチ（ワイヤロープ等の紐状体を巻回すべく所望の幅の溝が形成された巻取ドラムと、巻取ドラムを正／逆回転駆動する駆動源に連結された駆動軸とから構成されウインチ）を屋内の少なくとも対向する位置に設置し、両ウインチの巻取ドラムを回転駆動して巻取ドラムよりワイヤロープ等の紐状体を床面側に届く位置まで取り出し移動することで、上記同様にネット等の吊張体を所望の位置に吊り張りすることができる。
【００１９】また、上記エンドレ状のウインチと、巻取式ウインチとを組み合わせて、屋内の対向する位置に設置し、両ウインチの巻回ドラム、及び巻取ドラムを回転駆動して巻取リング、及び巻取ドラムよりワイヤロープ等の紐状体を床面側に届く位置まで取り出し移動することで、上記同様にネット等の吊張体を吊り張りすることも可能である。この場合は、ウインチの設置場所の選択肢が増えることとなり、さらに適切な位置にネットを吊り張りすることができる。
【００２０】このように、本発明のウインチを用いたネット等の吊張体の吊張方法は、固定状態のネット等の吊張体をウインチを用いて吊り張りすることが自在にでき、しかも、吊り張りした状態でのテンションの変更等も自在にできるために、確実にネット等の吊張体を固定状態に維持することができる。
【００２１】また、紐状体に弛み／撓みが発生した場合においても、そのメンナンスが容易で、安全に対応することができる。
【００２２】また、本発明は、屋内のあらゆる空間部を確実に間仕切り、防球用として吊り張りすることができ、自在に空間部に対応することができ、経済的であるとともに、その利用範囲を格段に広げることができる。
【発明を実施するための最良の形態】
【００２３】以下、本発明のウインチを用いたネット等の吊張体の吊張方法の一実施例について下記各図面を用いて説明する。【００２４】図１は本発明のエンドレスウインチを用いたネット等の吊張体の吊張方法を示す概略説明図であり、図２は巻取式ウインチを用いたネット等の吊張体の吊張方法を示す概略説明図であり、図３はエンドレスウインチと巻取式ウインチとを用いたネット等の吊張体の吊張方法を示す概略説明図であり、図４は二方向のワイヤーの連結を示す概略説明図であり、図５三方向のワイヤーの連結を示す概略説明図であり、図６はネット取り付け用ワイヤーを使用したワイヤーの連結を示す概略説明図であり、図７はネット取り付け用ワイヤーを使用し、四方向のワイヤーの連結を示す概略説明図であり、図８は連結リング体での二方向の連結を示す概略説明図であり、図９は連結リング体での三方向の連結を示す概略説明図であり、図１０はウインチを用いたネット等の吊張体の吊張方法の基本フローチャートを示し、図１１はウインチの設置台数を選択のフローチャートを示し、図１２はネット等の吊張体の取り外しのフローチャートを示す。【００２５】本発明のウインチを用いたネット等の吊張体の吊張装置の基本構成は、対向する位置に設置する２台のエンドレスウインチ１Ａとエンドレスウインチ１Ａの後方に設けられた巻取リング２と、該巻取リング２に巻き取られた紐状体３としてのワイヤロープと、両方の紐状体３の先端側を回動自在に連結するこめの連結リング４と、紐状体３の連結リング４を中心に吊り張りするための吊張体５としてのネットとから構成されている。【００２６】上記エンドレスウインチ１Ａは、紐状体３を一方より取り入れ他方に取り出しする巻回ドラム６と、該巻回ドラム６へ紐状体３を押圧補助しながら移動する案内ガイド６Ａと案内ローラ６Ｂとが設けられ、該案内ガイド６Ａと案内ローラ６Ｂとにより、紐状体３の取り入れ側で紐状体３の弛み／撓みを解消すべく構成されている。また、巻取リング２はエンドレスウインチ１Ａの後方に位置しておけばよく、エンドレスウインチ１Ａの近傍でも、また巻取リング２のみを床面側に設置することも可能である。【００２７】紐状体３の移動は、該巻回ドラム６より取り出された紐状体３を巻取リング２で巻き取りすることで、紐状体３の巻き取り移動し、巻回ドラム６を逆回転して紐状体３を一方より取り入れ他方に取り出し、紐状体３を巻取リング２より取り出しすることで、紐状体３の取り出し移動する。【００２８】吊張体５の紐状体３への取り付けは、取付リング７に紐状体３を挿通するとともに、吊張体５の上端側を取付リング７に取り付けることで取り付ける。【００２９】尚、エンドレスウインチ１Ａの巻回ドラム６を回転駆動（手動電動又はアシスト電源で回転駆動する構成等その駆動手段は目的に応じて自在に選択することができる）する駆動軸８が設けられている。【００３０】また、本発明のエンドレスウインチ１Ａはウインチ本体部分についての特徴を明記したもので、駆動源（特に巻回ドラム６の回転駆動が電動の場合）については通常使用されている駆動源を使用する。従って、ブレーキ機構に電磁ブレーキ等を使用、或いはクラッキ機構等の使用について、又は安全性のために補助ブレーキを設けることも、公知の技術を使用する。【００３１】前記紐状体３の種類は、ワイヤロープ／通常の強化ロープ／外周にビニールの設けられた線状体等とする。【００３２】本発明のウインチを用いたネット等の吊張体のの吊張装置は上記のように構成され、次に該装置を使用する場合について説明する。【００３３】先ず、屋内の対向する２点にエンドレスウインチ１Ａを設置し、該エンドレスウインチ１Ａの近傍に巻取リング２を取り付ける。その後、エンドレスウインチ１Ａの駆動軸８を回転駆動することで巻回ドラム６を回転して巻取リング２より取り出した紐状体３を巻回ドラム６の一方側より取り入れ他方側に取り出し移動し、紐状体３を巻取リング２より床面側に届く迄取り出し移動して床面に位置させる。この状態で両紐状体３の先端側を連結リング４を介して連結することで、連結リング４に沿って紐状体３が移動自在となる。【００３４】この際、紐状体３の連結部分を中心として紐状体３に吊張体５の上端側を一定の割合で取り付けた取付リング７を挿通して吊張体５を紐状体３に取り付ける。取付リング７は上方を紐状体３に挿通しているが、下方を吊張体５の網目等で移動が阻止されているために、吊張体５は紐状体３に等間隔で取り付けられることとなる。【００３５】次に、エンドレスウインチ１Ａの駆動軸８を上記とは逆方向に回転駆動し巻回ドラム６を逆方向に回転して紐状体３を巻回ドラム６の他方側より取り入れ一方側に取り出し移動し、紐状体３を巻取リング２に巻き取り移動し、紐状体３を床面側より離反し床面に対して水平に位置するまで移動する。【００３６】これにより、吊張体５は空間部を間仕切り又は防球用として固定状態で吊り張りすることができる。【００３７】このように、エンドレスウインチ１Ａの駆動のみで容易に吊張体５を吊り張りし、空間部を間仕切り等できるために、あらゆる空間部に対応することができる。【００３８】次に、空間部の間仕切り等を解除する場合は、エンドレスウインチ１Ａの駆動軸８を回転駆動して巻回ドラム６を回転し、巻取リング２より取り出した紐状体３を巻回ドラム６の一方側より取り入れ他方側に取り出し移動し、紐状体３を巻取リング２より床面側に届く迄移動して床面に位置させ、連結リング４より各紐状体３の先端部を取り外し、その後、吊張体５の取付リング７を各紐状体３に沿って移動して吊張体５を取り外す。そして、エンドレスウインチ１Ａの駆動軸８を上記とは逆方向に回転駆動し巻回ドラム６を逆方向に回転して紐状体３を巻回ドラム６の他方側より取り入れ一方側に取り出し移動し、紐状体３を巻取リング２に巻き取り移動して巻回ドラム６近傍の位置まで移動する。【００３９】これにより、空間部の間仕切り等を容易に短時間で解除することができる。また、メンテナンスの場合においても同様に床面側に紐状体３を引き出し移動して床面で吊張体５、その取り付け及び紐状体３のメンテナンスを行うことができる。【００４０】このように、固定状態の吊張体５を簡易な工程で確実に／安全性にとんだ状態で設置することができる。【００４１】また、エンドレスウインチ１Ａと巻取リング２とを利用することにより、エンドレスウインチ１Ａの巻回ドラム６で紐状体３にかかるテンションを解消（巻取リング２への紐状体３の取り入れ側では、案内ローラ６Ｂ及び案内ガイド６Ａにより押圧による撓み／弛み等を解消しながら巻取リング２へ取り入れし、紐状体３の取り出し側では、撓み／弛み等の解消された状態で取り出されることとなる）することができ、巻取リング２によるスムーズな紐状体３の巻き取り／引き出しが可能となる。【００４２】尚、吊張体５の重量又は設置する長さに応じて、上記取付リング７に紐状体３と相違する方向（例えば、天井側、対向する側面側等）の第３の紐状体３をエンドレスウインチ１Ａより引き出して取り付けることで、直線方向の一対の紐状体３にかかる重量を分散して吊張体５を固定状態で吊り張りすることができる。【００４３】また、上記実施例では、直接２本の紐状体３の先端を取付リング７を介して連結したが、吊張体５の重量があり、又は設置する長さが長い場合は、別体の紐状体３Ａ（吊張体５が取付リング７を介して予め取り付けられている。）の両端側にそれぞれ紐状体３の先端を取付リング７を介して連結することで、さらに簡易な工程で固定状態の吊張体５を吊り張りすることができる。この場合も同様に、各取付リング７にそれぞれ第３の紐状体３をエンドレスウインチ１Ａより引き出して取り付けることで、さらに直線方向の一対の紐状体３にかかる重四方向に分散して吊張体５を固定状態で吊り張りすることができる。【００４４】また、上記実施例のエンドレスウインチ１Ａは、巻回ドラム６部分で紐状体３を移動しているために、その移動距離を把握しやすくリミットスイッチを利用しての紐状体３の引き出し量や巻き取り量を自在に設定することができまた、巻回ドラム６の回転量でタイマーを利用しての紐状体３の引き出し量や巻き取り量を自在に設定することができ、ミリ単位の調整も可能である。【００４５】また、上記実施例では、屋内の対向する２点にエンドレスウインチ１Ａを設置したが、エンドレスウインチ１Ａの代わりに巻取式ウインチ１Ｂを使用すると、巻取リング２を設置する必要がなくその設置工程がさらに簡略されることとなる。また、ウインチの設置場所が狭い場合や吊張体５の重量が軽い場合に、有効に利用することができる。【００４６】また、エンドレスウインチ１Ａと巻取式ウインチ１Ｂとを組み合わせて使用する（例えば、対向するウインチはエンドレスウインチ１Ａ、第３の紐状体３を巻取式ウインチ１Ｂを使用する方式、又は対向するウインチをエンドレスウインチ１Ａと巻取式ウインチ１Ｂとを使用する方式等）することで、それぞれのウインチの特性を生かして、設置場所に対応することができる。【００４７】このように、本発明のウインチを用いたネット等の吊張体の吊張装置は、設置にかかる作業時間を格段に短縮することができ、また、メンテナンスの作業効率を格段に向上することができる。【００４８】また、使用するウインチの特性を利用することで、屋内空間部の大きさ、利用目的に応じてさらに最適な設置が可能となる。【００４９】また、吊張体５の重量等に応じて、引っ張る紐状体３の数を選択することで、その重量を分散して吊り張りすることができる。しかも、安全性の面においても従来の固定状の吊張体５に比し格段に向上することができる。【００５０】また、基本となる吊張体５の取り付けられた一対の紐状体３の径を太い紐状にし、重量を分散する紐状体３の径をそれより細い径とすることで、コストの低減を図ることも可能である。
【図面の簡単な説明】
【００５１】
【図１】本発明のエンドレスウインチを用いたネット等の吊張体の吊張方法を示す概略説明図
【図２】巻取式ウインチを用いたネット等の吊張体の吊張方法を示す概略説明図
【図３】エンドレスウインチと巻取式ウインチとを用いたネット等の吊張体の吊張方法を示す概略説明図
【図４】二方向のワイヤーの連結を示す概略説明図
【図５】三方向のワイヤーの連結を示す概略説明図
【図６】ネット取り付け用ワイヤーを使用したワイヤーの連結を示す概略説明図
【図７】ネット取り付け用ワイヤーを使用し、四方向のワイヤーの連結を示す概略説明図
【図８】連結リング体での二方向の連結を示す概略説明図
【図９】連結リング体での三方向の連結を示す概略説明図
【図１０】ウインチを用いたネット等の吊張体の吊張方法の基本フローチャート
【図１１】ウインチの設置台数を選択のフローチャート
【図１２】ネット等の吊張体の取り外しのフローチャート
【符号の説明】
【００５２】１Ａ…エンドレスウインチ、２…巻取リング、３…紐状体、４…連結リング
【図１】
2009067587.tif 000003
【図２】
2009067587.tif 000004
【図３】
2009067587.tif 000005
【図４】
2009067587.tif 000006
【図５】
2009067587.tif 000007
【図６】
2009067587.tif 000008
【図７】
2009067587.tif 000009
【図８】
2009067587.tif 000010
【図９】
2009067587.tif 000011
【図１０】
2009067587.tif 000012
【図１１】
2009067587.tif 000013
【図１２】
2009067587.tif 000014